(57)【要約】【課題】  ホース内の残留水を抜く構造がシンプルで且つホース内の残留水が流出する際、遊び心のある玩具になるシャワー装置を提供する。【解決手段】  水栓本体１にホース２の基端部２０を取付け該ホースの先端部２１にシャワーヘッド９を取付けてなるシャワー装置Ａにあって、該シャワーヘッド９が係止具３に係止され吊設状態下にある該ホース２の下端部位２２に通孔２５が設けられると共に該通孔周りのホース外周面２６に動物画Ｇが描かれ、且つ該通孔近傍のホース２内に該通孔からの水の流出を止める流出抑制部材Ｓが配設され、ホース２内に水が流れることにより該流出抑制部材が水の動圧を利用して通孔２５から水が漏れ出すのを防ぐ一方、ホース２内の水の流れが止まり水の動圧がなくなることで、該流出抑制部材の漏水防止機能が低下して通孔２５からホース内の残留水ＺＷが流出し動物画Ｇの動物から水が噴き出ているような姿態にする。【選択図】  図１
2008055070.tif 000002
【特許請求の範囲】
【請求項１】
水栓本体にホースの基端部を取付け該ホースの先端部にシャワーヘッドを取付けてなるシャワー装置にあって、該シャワーヘッドが係止具に係止され吊設状態下にある該ホースの下端部位に通孔が設けられると共に該通孔周りのホース外周面に動物画が描かれ、且つ該通孔近傍のホース内に該通孔からの水の流出を止める流出抑制部材が配設され、ホース内に水が流れることにより該流出抑制部材が水の動圧を利用して前記通孔から水が漏れ出すのを防ぐ一方、ホース内の水の流れが止まり水の動圧がなくなることで、該流出抑制部材の漏水防止機能が低下して前記通孔からホース内の残留水が流出し前記動物画の動物から水が噴き出ているような姿態にすることを特徴とするシャワー装置。
【請求項２】
前記流出抑制部材が弁体で、該弁体の主要部たる弁本体が前記通孔の水栓本体寄りのホース内壁にヒンジ部を介して取着され、ホース内に水が流れることにより該弁本体が水の動圧を利用してヒンジ部を支点に回転し前記通孔に蓋をする一方、水の流れが止まることにより蓋が解除されて前記通孔からホース内の残留水が流出する請求項１記載のシャワー装置。
【請求項３】
前記流出抑制部材が短管からなり、該短管の一端が前記通孔に管孔を一致させるように該通孔周りのホースに取着される一方、該短管の他端がホース内径の略中心に位置して且つシャワーヘッドの方向に向くよう配設される請求項１記載のシャワー装置。
【請求項４】
前記流出抑制部材が水栓本体側を円筒部とし且つシャワーヘッド方向へ向けて扁平化させた扁平部とした薄肉の弾性変形可能な筒状体で、該筒状体の筒内導通方向をホース方向に一致させ前記通孔のホース内側に該扁平部を配設するようにし、ホース内に水が流れることにより該扁平部が水の動圧を利用して膨らみ前記通孔を塞ぎ、該通孔から水が漏れ出すのを防ぐ一方、水の流れが止まることにより扁平部が弾性復元して前記通孔からホース内の残留水が流出する請求項１記載のシャワー装置。
【請求項５】
前記流出抑制部材が円筒外径をホース内径に略一致させ且つ筒内径を水栓本体側からシャワーヘッド方向へ向けて小さくなる円筒体で、さらに該円筒体に係るシャワーヘッド側の端面が前記通孔よりも水栓本体寄りに配設可能なるよう前記通孔から水栓本体寄りのホース内壁に設けた入口側突起と、前記通孔からシャワーヘッド寄りのホース内壁に設けた出口側突起との間のホース内を摺動自在に移動可能にすると共に、該流出抑制部材と出口側突起との間に弾性体を介在させて、ホース内に水が流れることにより該円筒体が水の動圧を利用して弾性体の弾性力に抗しながら移動し該円筒体が前記通孔に蓋をする一方、水の流れが止まることにより弾性体の復元力により該円筒体が戻され前記通孔からホース内の残留水が流出する請求項１記載のシャワー装置。
【発明の詳細な説明】
【技術分野】
【０００１】
本発明は、ホース内に溜まった水を抜くことのできるシャワー装置に関する。
【背景技術】
【０００２】
水栓本体１にホースの基端部２０を取付け該ホースの先端部２１にシャワーヘッドを取付けたシャワー装置は、風呂場などで多用されている。通常、シャワーが終わった後、シャワーヘッドは風呂場の壁面に固定された係止具３に係止される。ところが、このシャワーヘッドの係止により該シャワーヘッドにつながるホースがＵ字状の吊設状態になり(図１参照)、Ｕ字状ホース内に残留水が残る。シャワー後に残った該残留水は時間経過と共に冷たくなり、次にシャワーを使うときにまずこの冷たい水が流れ出すことから、使用者が誤ってこれをかぶってしまう不具合がある。そこで、こうした現状に対し、従来、いくつかの対策技術が提案されてきた（例えば特許文献１,２）。
【０００３】
【特許文献１】特開２０００−３１２６５３公報
【特許文献２】特開平１１−３３２７７３号公報
【発明の開示】
【発明が解決しようとする課題】
【０００４】
しかるに、特許文献１,２とも単にホース内に溜まった冷水を抜き取るためだけの水抜き装置であり、また構造もいささか複雑であった。さらに、家族風呂場などに設けられるシャワー装置は、これまでシャワーに使われるだけの道具にすぎなかった。
【０００５】
本発明は上記問題に応えるもので、ホース内の残留水を抜く構造がシンプルで且つホース内の残留水が流出する際、遊び心のある玩具になるシャワー装置を提供することを目的とする。
【課題を解決するための手段】
【０００６】
上記目的を達成すべく、請求項１に記載の発明の要旨は、水栓本体にホースの基端部を取付け該ホースの先端部にシャワーヘッドを取付けてなるシャワー装置にあって、該シャワーヘッドが係止具に係止され吊設状態下にある該ホースの下端部位に通孔が設けられると共に該通孔周りのホース外周面に動物画が描かれ、且つ該通孔近傍のホース内に該通孔からの水の流出を止める流出抑制部材が配設され、ホース内に水が流れることにより該流出抑制部材が水の動圧を利用して前記通孔から水が漏れ出すのを防ぐ一方、ホース内の水の流れが止まり水の動圧がなくなることで、該流出抑制部材の漏水防止機能が低下して前記通孔からホース内の残留水が流出し前記動物画の動物から水が噴き出ているような姿態にすることを特徴とするシャワー装置にある。
請求項２の発明たるシャワー装置は、請求項１で、流出抑制部材が弁体で、該弁体の主要部たる弁本体が前記通孔の水栓本体寄りのホース内壁にヒンジ部を介して取着され、ホース内に水が流れることにより該弁本体が水の動圧を利用してヒンジ部を支点に回転し前記通孔に蓋をする一方、水の流れが止まることにより蓋が解除されて前記通孔からホース内の残留水が流出することを特徴とする。
請求項３の発明たるシャワー装置は、請求項１で、流出抑制部材が短管からなり、該短管の一端が前記通孔に管孔を一致させるように該通孔周りのホースに取着される一方、該短管の他端がホース内径の略中心に位置して且つシャワーヘッドの方向に向くよう配設されることを特徴とする。
請求項４の発明たるシャワー装置は、請求項１で、流出抑制部材が水栓本体側を円筒部とし且つシャワーヘッド方向へ向けて扁平化させた扁平部とした薄肉の弾性変形可能な筒状体で、該筒状体の筒内導通方向をホース方向に一致させ前記通孔のホース内側に該扁平部を配設するようにし、ホース内に水が流れることにより該扁平部が水の動圧を利用して膨らみ前記通孔を塞ぎ、該通孔から水が漏れ出すのを防ぐ一方、水の流れが止まることにより扁平部が弾性復元して前記通孔からホース内の残留水が流出することを特徴とする。
請求項５の発明たるシャワー装置は、請求項１で、流出抑制部材が円筒外径をホース内径に略一致させ且つ筒内径を水栓本体側からシャワーヘッド方向へ向けて小さくなる円筒体で、さらに該円筒体に係るシャワーヘッド側の端面が前記通孔よりも水栓本体寄りに配設可能なるよう前記通孔から水栓本体寄りのホース内壁に設けた入口側突起と、前記通孔からシャワーヘッド寄りのホース内壁に設けた出口側突起との間のホース内を摺動自在に移動可能にすると共に、該流出抑制部材と出口側突起との間に弾性体を介在させて、ホース内に水が流れることにより該円筒体が水の動圧を利用して弾性体の弾性力に抗しながら移動し該円筒体が前記通孔に蓋をする一方、水の流れが止まることにより弾性体の復元力により該円筒体が戻され前記通孔からホース内の残留水が流出することを特徴とする。
【発明を実施するための最良の形態】
【０００７】
以下、本発明に係るシャワー装置の一実施形態について詳述する。
（１）実施形態１
図１〜図７は本発明のシャワー装置の一形態で、図１は家族用風呂場の壁に取り付けられたシャワー装置の全体斜視図、図２,図３は通孔周りに動物画が描かれたホース外周面の部分斜視図で、図３は図２と異なる別態様の動物画が描かれた通孔周りのホース外周面の部分斜視図、図４はホース内に配設された流出抑制部材が弁体とする説明断面図で、図５〜図７は図４と異なる弁体の別態様の説明断面図である。
【０００８】
本シャワー装置は水栓本体１とシャワーヘッド９と係止具３とホース２と流出抑制部材Ｓとを具備し、水栓本体１にホース２の基端部２０を取付け該ホース２の先端部２１にシャワーヘッド９が取付けられた装置である。
水栓本体１は公知品で、ここでの水栓本体１はホース２を介してシャワーヘッド９につながり、またノズル２４(カラン)が接続する。水栓本体１には温度調節を行う水用ハンドル２１と熱水用ハンドル２２が設けられると共に、吐水をシャワーヘッド９に切り替えたりノズル２４に切り替えたり、さらに吐水を止めたりすることのできる切り替えレバー２３が設けられている(図１)。
【０００９】
シャワーヘッド９はシャワー状態で噴出させることのできる公知部品である。前述のごとく水栓本体１に連結具２７でホース２の基端部２０が連結する一方、ホース２の先端部２１が図１ごとくのシャワーヘッド９につながっている。シャワーの方へ切り替えレバー２３を切り替えることによって、シャワーヘッド９から温度調節されたお湯又は水を雨のように噴出させることができる。
【００１０】
係止具３はシャワーヘッド９を係止する公知部品で、例えば図１に示すごとく平面視Ｃ字状の係止具３の横の隙間からホース２を差し入れてホース２よりも一回り外径が大きなシャワーヘッド９のホース接続部分が該係止具３に係止される。本実施形態は人が立ってシャワーを浴びる位置と、座って体を洗える位置とにシャワーが係止されるように、風呂場の壁の上下２カ所に係止具３(上係止具３ａ,下係止具３ｂ)が設けられている。
【００１１】
ホース２は係止具３にシャワーヘッド９が係止されて吊設状態となるシャワーホースで、シャワーヘッド９が上下のいずれの係止具３ａ，３ｂに係止されてもホース基端部２０からホース先端部２１に至るホース２は図１のごとくの側面視Ｕ字状になる。シャワーヘッド９が係止具３に係止され吊設状態下にある該ホース２のＵ字状した下端部位２２のホース上面側には通孔２５が設けられる。ここでは、上の係止具３に係止された場合のホース２の下端部位２２と、下の係止具３に係止された場合のホース２の下端部位２２との両方にホース２内に貫通する通孔２５が設けられる。
さらに、両通孔２５周りのホース外周面２６に動物画Ｇが描かれる。本実施形態の動物画Ｇの動物は図２(イ)のようなクジラである。通孔２５から残留水ＺＷが流出するとき、クジラが潮を吹くように似せるためクジラの頭部又は頭部近傍に通孔２５が配される。通孔２５をクジラの潮吹き口Ｇ０とするよう設定する。図２(イ)のクジラの動物画Ｇは、図２(ロ)のようなクジラの動物画Ｇとすることができる。動物画Ｇの動物はクジラに限定せず、例えば図３(イ),(ロ)のイルカ等の他の動物を用いることができる。しかし、該通孔２５からの残留水ＺＷの流出がクジラの潮吹きに似るため、シャワー装置をクジラの潮吹き玩具へと変更し易いことから、またクジラの潮吹きが玩具としてもおもしろいことから、クジラの動物画Ｇがより好ましい。
【００１２】
流出抑制部材Ｓは前記通孔近傍のホース２内で該通孔２５からの水の流出を止めるために配設される部材である。ホース２内に水が流れることにより該流出抑制部材Ｓが水の動圧を利用して前記通孔２５から水が漏れ出すのを防ぐ一方、ホース２内の水の流れが止まり水の動圧がなくなることで、該流出抑制部材Ｓの漏水防止機能が低下して前記通孔２５からホース２内の残留水ＺＷが流出する。
本実施形態の流出抑制部材Ｓは、図４ごとくの弁体５で、弁体５の主要部たる弁本体５０が前記通孔２５の水栓本体１寄りのホース内壁にヒンジ部５１を介して取着され、ホース２内に水が流れることにより該弁本体５０が水の動圧を利用してヒンジ部５１を支点に回転し前記通孔２５に蓋をする一方、水の流れが止まることにより蓋が解除されて前記通孔２５からホース２内の残留水ＺＷが流出する構成とする。
【００１３】
図４で、弁体５は弁本体５０にヒンジ具の取付部５３が固定されると共にヒンジ部５１を介して固着部５２が通孔２５の水栓本体１寄りホース内壁上面に固定される。弁本体５０はヒンジ部５１で回動自在に取付けられ通常その重力で垂下し、弁本体５０がホース通路をほぼ塞ぐ状態とする。この状態下で弁本体５０の形状を説明すると、図４の実線で示すごとく半球状としながらも半球面に係る略円形の平坦面は下方に向かうにつれ水栓本体１側へ張り出す張出部分５０１を形成する。ホース２内に水が流れると弁本体５０の前記平坦面側が水の動圧(図４の鎖線矢印)をまともに受けて、弁本体５０がヒンジ部５１を中心にして回転し図４の鎖線位置に移動し通孔２５の口を閉じる。弁本体５０に張出部分５０１が形成されているため、張出部分５０１にホース２内を流れる水が衝突し、その上向き分力が加わり弁本体５０で通孔２５の口を塞ぎ続けるようになる。シャワー使用が終わりホース２内の水の流れが止まれば、前記弁本体５０は重力で垂下する元の状態へ戻る(図４の実線位置)。さらに係止具３にシャワーヘッド９が係止されると、吊設状態下にあるＵ字状ホース２内にはシャワー後の残留水ＺＷが残るが、ホース下端部位２２の上面側に通孔２５が設けられているので、ここから残留水ＺＷが上向きに噴出する(図１,図２)。通孔周りのホース外周面２６には該通孔２５を潮の噴出し口Ｇ０としてクジラの動物画Ｇが描かれていることから、シャワー装置は図１,図２のごとくシャワー後、しばらくはシャワー装置の透孔周りのホース部分が潮吹き姿態をつくるクジラのおもちゃになる。
【００１４】
図５は図４の弁体５の別態様品で、弁本体５０からヒンジ部５１のくびれ部分を経由して固着部５２が延設したなる弁体５とする。図５の弁体５は、図４の取付部５３を弁本体５０に共用させ、さらにヒンジ部５１、固着部５２を合成樹脂の同質材料で一体化したもので、くびれ部分にヒンジ部５１の機能をもたせている。該弁体は実施形態１の弁体２よりも構成が単純で且つ同質材料の一体品で作られるので、低コスト化が図れる。
【００１５】
図６,図７の弁体５も図４の別態様品で、ここでは弁体５に加え弾性部材Ｆを設けている。ここでの弁体５は図６のごとく弁本体５０とヒンジ部５１とからなり、弁本体５０に一体化したヒンジ部５１が通孔近傍の水栓本体１寄りホース内壁上面に固定される。実施形態１と同様、ホース２内に水が流れることにより該弁本体５０が水の動圧を利用してヒンジ部５１を支点に回転し前記通孔２５に蓋をする一方、水の流れが止まることにより蓋が解除される。弁本体５０の水栓本体１側の面に実施形態１の張出部分５０１に代えて、助成部５０２を傾斜起立させ、弁本体５０が水の動圧を利用してヒンジ部５１を支点に回転し前記通孔２５に蓋をしたときに、図７のように水の流れをまともに受ける格好とし、通孔２５に蓋をし続けられるようにする。一方、ホース２内の水の流れが止まったときに蓋が解除され通孔２５から残留水ＺＷが流出するよう、弁本体５０の重力だけでなく、弾性部材Ｆと磁石５４の力を借りる。詳しくは、弾性部材Ｆが通孔近傍のシャワーヘッド９寄りホース内壁下面に立設し、その先端に磁石５４を固着する。前記弁本体５０の先端にも磁石５４を固着し、弁本体５０が通孔２５に蓋をしたときに、弾性部材Ｆの磁石５４と弁本体５０の磁石５４の同極同士が、図７のごとく近接域で対向するようにする。図７は両磁石５４のＳ極同士が対向する図を示す。ホース２内の水の流れが止まったときに両磁石５４の反発力を借りて弁本体５０が通孔２５から離れ蓋が解除される。さらに本実施形態は、弾性部材Ｆが弾性変形可能にして、ホース２内に水が流れると弁本体５０が弾性部材Ｆを図７のように変形させて通孔２５に蓋をする一方、水の流れが止まると、弾性部材Ｆが図６のように弾性復元して弁本体５０を通孔２５から解離させるようにする。弾性部材Ｆの中央の環部はホース２内の水の流れを受け止め易くするためのものである。尚、図６,図７は構造を判りやすくするため簡易的に図示する。
【００１６】
このように構成したシャワー装置は、水用ハンドル２１,熱水用ハンドル２２,切り替えレバー２３を操作して通常のシャワー装置として使用できる。シャワーの使用中は弁本体５０がホース２内を流れる水の動圧,運動エネルギを受けて通孔２５に蓋をする。通孔２５があってもシャワーの使用に支障はない。その一方で、シャワーを使い終われば水が止まって弁本体５０による漏水防止機能が低下して通孔２５からホース２内の残留水ＺＷが流出し、動物画Ｇたるクジラから水(残留水ＺＷ)が噴き出ているような姿態になる。シャワーヘッド９を係止具３に係止し吊設状態下にある該ホース２のＵ字状した下端部位２２のホース上面側に通孔２５が設けられるので、シャワー使用を止め、Ｕ字状ホース２の下部に溜まった残留水ＺＷが通孔２５から流出するとき、クジラの動物画Ｇから水が勢いよく噴出している姿態になる。シャワーを使用した後はシャワー装置がおもちゃになる。単にホース２内に在る不用の残留水ＺＷを取り除くだけでなく、この残留水ＺＷが有効活用されてシャワー装置は家族風呂などの風呂場で格好の遊び道具になる。髪洗いを嫌う幼児が多いが、本シャワー装置は終わった後に潮吹きクジラのおもちゃになり、幼児はこれで遊べるので、髪洗いを自ら率先して行うようになるメリット等がある。
【００１７】
（２）実施形態２
本実施形態は、流出抑制部材Ｓが図８,図９ごとくの短管６からなり、該短管６の一端６１が前記通孔２５に管孔６０を一致させるように該通孔周りのホース２に取着される一方、該短管６の他端６２がホース内径の略中心に位置して且つシャワーヘッド９の方向に向くよう配設される。ここでの短管６は図８のごとくＬ字状に屈曲した短管６で、一端６１を通孔２５に通してホース２に固着し、他端６２がホース半径方向に延びてホース内径の中心位置でシャワーヘッド９の方向に向くよう配されている。本実施形態の短管６は管長方向ですべて同径とするが、例えば先端部２１を細めたりすることができる。他の構成は実施形態１と同様で、その説明を省く。
このように構成したシャワー装置も実施形態１と同様の効果が得られる。ホース２内に水が流れることにより該短管６が水の動圧を利用して前記通孔２５から水が漏れ出すのを防ぐ。ホース２内に水が流れても、短管６の他端近傍の管内は水の動圧を受けることがなく、圧が低くなり、場合によっては管内を通って大気中の空気を図８の二点鎖線のごとくホース２内に取り込むことになる。空気がホース２内に入ってもシャワー使用に特に問題はなく、却ってシャワー水中にバブルが発生し健康増進に役立つ。一方、ホース２内の水の流れが止まり水の動圧がなくなれば、該短管６の漏水防止機能が低下して通孔２５からホース２内の残留水ＺＷが流出し動物画Ｇの動物から水が噴き出ているような姿態になる(図９)。本実施形態は流出抑制部材Ｓが短管６だけでシンプルにして、弁本体５０のような可動する部分がなく長期に亘り機能発揮できる。
【００１８】
（３）実施形態３
本実施形態は、流出抑制部材Ｓが図１０,図１１ごとく水栓本体１側を円筒部７１とし且つシャワーヘッド９方向へ向けて扁平化させた扁平部７２とした薄肉の弾性変形可能な筒状体７である。該筒状体７の筒内導通方向７０をホース方向に一致させ前記通孔２５のホース内側に該扁平部を配設するようにし、ホース２内に水が流れることにより該扁平部７２が水の動圧さらに水自身の静圧を利用して膨らみ通孔２５を塞ぎ、該通孔２５から水が漏れ出すのを防ぐ一方、水の流れが止まることにより扁平部が弾性復元して通孔２５からホース２内の残留水ＺＷが流出する構成とする。ここでは、図１０,図１１ごとく通孔２５のホース２内側に該扁平部７２を配設するようにして、ゴム製の円筒体の円筒部７１を水栓本体１側のホース内壁面に固着する。ホース２内に水が流れると、水の動圧さらに水の静圧を受けて扁平部７２が弾性変形して拡張し通孔２５に蓋をする一方(図１１の実線)、水の流れが止まることにより扁平部が弾性復元力で元の状態に収縮し、蓋が解除され通孔２５からホース２内の残留水ＺＷが流出する(図１１の鎖線)。他の構成は実施形態１と同様で、その説明を省く。このように構成したシャワー装置も実施形態１と同様の効果が得られる。
【００１９】
（４）実施形態４
本実施形態は流出抑制部材Ｓが図１２,図１３ごとく円筒外径部８１をホース内径に略一致させ且つ筒内径部８２を水栓本体１側からシャワーヘッド９方向へ向けて小さくなる剛性の円筒体８で、さらに該円筒体に係るシャワーヘッド側の端面が前記通孔よりも水栓本体寄りに配設可能なるよう前記通孔２５から水栓本体１寄りのホース内壁に設けた入口側突起Ｔ１と、前記通孔２５からシャワーヘッド９寄りのホース内壁に設けた出口側突起Ｔ２との間のホース２内を摺動自在に移動可能にすると共に、該円筒体８と出口側突起Ｔ２との間に弾性体Ｃを介在させて、ホース２内に水が流れることにより該円筒体８が水の動圧を利用して弾性体Ｃの弾性力に抗しながら移動し該円筒体８が前記通孔２５に蓋をする一方、水の流れが止まることにより弾性体Ｃの復元力により該円筒体８が元の位置へ戻され前記通孔２５からホース２内の残留水ＺＷが流出する構成とする。円筒体８の外径ｄ１はホース内径Ｄ２に略一致し、円筒体８はホース２内を摺動自在とする。円筒体８の内径は水栓本体側ｄ２で大きく、シャワーヘッド９に向けテーパ状に小さく徐々になっている。ここでの弾性体Ｃは圧縮コイルバネＡＣであり、常態で、図１２のごとく圧縮コイルバネＡＣの弾性付勢力で円筒体８を水栓本体１寄りに押しつけ、円筒体８よりもシャワーヘッド９寄りに通孔２５が設けられている。一方、シャワーを使用するためにホース２内に水を流すと、図１２の状態から円筒体８の筒内径部８２が水栓本体１側からシャワーヘッド９方向へ向けて小さくなっているので、ホース内を流れる水の動圧を受けて該円筒体は圧縮コイルバネの付勢力に抗してシャワーヘッド９側へ移動し、図１３のごとく通孔２５に蓋をする。シャワーの使用を止めると、水の動圧がなくなり弾性体Ｃの復元力でもって円筒体８が図１２の元に状態に復帰する。他の構成は実施形態１と同様で、その説明を省く。このように構成したシャワー装置も実施形態１と同様の効果が得られる。
【００２０】
（５）実施形態５
実施形態４では円筒体８と出口側突起との間に弾性体を介在させて、ホース２内に水が流れることにより該円筒体８が水の動圧を利用して弾性体の弾性力に抗しながら移動し該円筒体８が前記通孔２５に蓋をする一方、水の流れが止まることにより弾性体の復元力により該円筒体８が戻され前記通孔２５からホース２内の残留水ＺＷが流出する構成としたが、ここでは、流出抑制部材Ｓが図１４,図１５ごとく実施形態４の円筒体８と同じにし、さらに該円筒体が前記通孔２５から水栓本体１寄りのホース内壁に設けた入口側突起Ｔ１と、前記通孔２５からシャワーヘッド９寄りのホース内壁に設けた出口側突起Ｔ２との間のホース２内を摺動自在に移動可能にすることを同じにしながらも、該円筒体８と入口側突起Ｔ１との間に弾性体Ｃを介在させて、ホース２内に水が流れることにより該円筒体８が水の動圧を利用して弾性体の弾性力に抗しながら移動し該円筒体８が前記通孔２５に蓋をする一方、水の流れが止まることにより弾性体Ｃの復元力により該円筒体８が元の位置へ戻され前記通孔２５からホース２内の残留水ＺＷが流出する構成とする。
ここでの弾性体Ｃは引張コイルバネＨＣであり、常態で、図１４のごとく円筒体８を水栓本体１寄りに引張り、円筒体８よりもシャワーヘッド９寄りに通孔２５が設けられる。他の構成は実施形態４と同様で、その説明を省く。このように構成したシャワー装置も実施形態１と同様の効果が得られる。
【００２１】
尚、本発明においては前記実施形態に示すものに限られず、目的,用途に応じて本発明の範囲で種々変更できる。水栓本体１,ホース２,係止具３,シャワーヘッド９,流出抑制部材Ｓ,動物画Ｇ,弾性体Ｃ等の形状,大きさ,材質等は用途に合わせて適宜選択できる。
【図面の簡単な説明】
【００２２】
【図１】実施形態１のシャワー装置で、家族用風呂場の壁に取り付けられたシャワー装置の全体斜視図である。
【図２】（イ）が通孔周りにクジラの動物画が描かれたホース外周面の部分斜視図、(ロ)が（イ）と異なるクジラの動物画が描かれたホース外周面の部分斜視図である。
【図３】図２と異なる別態様のイルカの動物画が描かれた通孔周りのホース外周面の部分斜視図である。
【図４】ホース内に配設された流出抑制部材を弁体とする説明断面図である。
【図５】図４と異なる弁体の別態様の説明断面図である。
【図６】図４と異なる弁体の別態様の説明断面図である。
【図７】図４と異なる弁体の別態様の説明断面図である。
【図８】実施形態２のシャワー装置で、ホース内に配設された流出抑制部材を短管とする説明断面図である。
【図９】図８のシャワー装置で、吊設状態下にあるＵ字状ホース内のシャワー後に残った残留水が通孔から吹き出している姿態の説明断面図である。
【図１０】実施形態３のシャワー装置で、ホース内に配設された流出抑制部材を筒状体とする説明断面図である。
【図１１】図１０のシャワー装置で、ホース内に水が流れて円筒体が水の動圧を利用して通孔を塞ぎ水が漏れ出すのを防ぐ姿態と共に、吊設状態下にあるＵ字状ホース内のシャワー後に残った残留水が通孔から吹き出す姿態の説明断面図である。
【図１２】実施形態４のシャワー装置で、ホース内に配設された流出抑制部材を円筒体とする説明断面図である。
【図１３】図１２のシャワー装置で、ホース内に水が流れて円筒体が水の動圧を利用して通孔を塞ぎ水が漏れ出すのを防ぐ姿態の説明断面図である。
【図１４】実施形態５で、実施形態４に係る弾性部材を引張コイルバネとするシャワー装置の説明断面図である。
【図１５】図１４のシャワー装置で、ホース内に水が流れて円筒体が水の動圧を利用して通孔を塞ぎ水が漏れ出すのを防ぐ姿態の説明断面図である。
【符号の説明】
【００２３】
１            水栓本体
２            ホース
２０          基端部
２１          先端部
２２          下端部位
２５          通孔
２６          外周面
３,３ａ,３ｂ    係止具
５            弁体
５０          弁本体
６            短管
６０          管孔
６１          一端
６２          他端
７            筒状体
７０          筒内導通方向
７１          円筒部
７２          扁平部
８            円筒体
９            シャワーヘッド
Ａ            シャワー装置
Ｃ            弾性体
Ｇ            動物画
Ｔ１          入口側突起
Ｔ２          出口側突起
ＺＷ          残留水
【図１】
2008055070.tif 000003
【図２】
2008055070.tif 000004
【図３】
2008055070.tif 000005
【図４】
2008055070.tif 000006
【図５】
2008055070.tif 000007
【図６】
2008055070.tif 000008
【図７】
2008055070.tif 000009
【図８】
2008055070.tif 000010
【図９】
2008055070.tif 000011
【図１０】
2008055070.tif 000012
【図１１】
2008055070.tif 000013
【図１２】
2008055070.tif 000014
【図１３】
2008055070.tif 000015
【図１４】
2008055070.tif 000016
【図１５】
2008055070.tif 000017